(57)【特許請求の範囲】
【請求項１】
排水勾配を有する横長矩形の平面形状を備える傾斜床面部に設けられ、該傾斜床面部の前記横長矩形の平面形状の短辺方向に傾斜する前記排水勾配の下流側縁部分に配設した、少なくとも一箇所の排水ドレンに向けて表面水を流下させるための傾斜床面部の排水構造であって、
前記傾斜床面部の下流側縁部分に沿って、該下流側縁部分に向かう排水勾配の傾斜方向と垂直な方向である前記横長矩形の平面形状の長辺方向に対して斜め下流方向に延設して、傾斜方向と対向すると共に端部が前記排水ドレンに臨む段差面を形成する段差壁部が、前記傾斜床面部から上方に突出して設けられている傾斜床面部の排水構造。
【請求項２】
前記段差壁部は、斜辺部を有する板部材を前記傾斜床面部の下流側縁部分に重ねて取り付けることにより、該板部材の斜辺部の端面を前記段差面として、前記傾斜床面部に設けられている請求項１に記載の傾斜床面部の排水構造。
【請求項３】
前記段差面の高さが２〜１５ｍｍであり、前記段差壁部の、前記下流側縁部分に向かう前記排水勾配の傾斜方向と垂直な方向である前記横長矩形の平面形状の長辺方向に対する傾斜角度が１〜６°であり、前記下流側縁部分に向かう前記排水勾配が１〜３％である請求項１又は２に記載の傾斜床面部の排水構造。
【請求項４】
前記傾斜床面部を床下地面として、該床下地面との間に表面水を流下させるための間隔を保持した状態で、床仕上材が前記傾斜床面部を覆って取り付けられている請求項１〜３のいずれか１項に記載の傾斜床面部の排水構造。
【請求項５】
前記傾斜床面部は、表面に傾斜勾配を有する複数の勾配付き床パネル部材を、縦横に敷き並べて形成されている請求項１〜４のいずれか１項に記載の傾斜床面部の排水構造。
【請求項６】
前記傾斜床面部は、バルコニー又はベランダの床面部である請求項１〜５のいずれか１項に記載の傾斜床面部の排水構造。
【発明の詳細な説明】
【技術分野】
【０００１】
本発明は、傾斜床面部の排水構造に関し、特に、排水勾配を有する傾斜床面部に設けられ、該傾斜床面部の下流側縁部分に配設した少なくとも一箇所の排水ドレンに向けて表面水を流下させるための傾斜床面部の排水構造に関する。
【背景技術】
【０００２】
例えば、一戸建て住宅に設けられたバルコニ−やベランダ、或いは建物の屋上等は、風雨に曝される屋外領域であることから、これらの床面に排水勾配を設けて、雨水等による表面水をスムーズに排出できるようにするための種々の工夫がなされている（例えば、特許文献１参照）。例えば、袖壁や手摺等によって周囲を区画されるバルコニ−、ベランダ等の床面の、当該袖壁や手摺等に沿った縁部分に側溝を設けると共に、例えば１〜２度程度の緩傾斜による排水勾配を床面に形成することにより表面水を側溝に向けて流下させ、側溝と連通して設けた排水ドレンを介して、表面水を排出する。
【０００３】
また、バルコニ−、ベランダ等の床面や側溝に排水勾配を設ける作業は、モルタル等を用いた左官仕上によるものが一般的であったが、このような左官仕上は熟練を要すると共に、手間のかかる作業である。このようなことから、例えば表面に傾斜勾配が設けられた発泡樹脂材からなる複数の勾配付き床パネル部材を縦横に敷き並べて、排水勾配を有する傾斜床面部を形成する技術（例えば、特許文献２参照）や、所定の勾配を備える発泡樹脂材からなる複数の単位勾配底部材を連設配置して、側溝に勾配を設ける技術（例えば、特許文献１参照）が開発されている。
【特許文献１】特開平１１−１７２８６４号公報
【特許文献２】特開２００６−１４４５０７号公報
【発明の開示】
【発明が解決しようとする課題】
【０００４】
一方、近年、例えばＦＲＰによってバルコニ−、ベランダ等の床面の防水仕上げ施工を行った後に、さらにタイルやセメント成型板等の被覆仕上材を用いて床仕上げを行うことにより、バルコニ−、ベンダ等の美観を向上させたり、使い易さを向上させる技術が開発されている。しかしながら、このような従来の技術では、排水勾配を有する傾斜床面部の下流側縁部分には側溝が設けられているため、床面よりも一段低くなった側溝によって美観が損われると共に、側溝を設けた分、バルコニ−、ベランダ等の床面の面積が狭くなって、これらの全体を有効に活用し難くなる。
【０００５】
本発明は、このような従来の技術課題に着目してなされたものであり、傾斜床面部の下流側縁部分に側溝を設けることなく、傾斜床面部に沿って流下する表面水を、排水ドレンに向けてスムーズに案内して排出することのできる傾斜床面部の排水構造を提供することを目的とする。
【課題を解決するための手段】
【０００６】
本発明は、排水勾配を有する横長矩形の平面形状を備える傾斜床面部に設けられ、該傾斜床面部の前記横長矩形の平面形状の短辺方向に傾斜する前記排水勾配の下流側縁部分に配設した、少なくとも一箇所の排水ドレンに向けて表面水を流下させるための傾斜床面部の排水構造であって、前記傾斜床面部の下流側縁部分に沿って、該下流側縁部分に向かう排水勾配の傾斜方向と垂直な方向である前記横長矩形の平面形状の長辺方向に対して斜め下流方向に延設して、傾斜方向と対向すると共に端部が前記排水ドレンに臨む段差面を形成する段差壁部が、前記傾斜床面部から上方に突出して設けられている傾斜床面部の排水構造を提供することにより、上記目的を達成したものである。
【０００７】
そして、本発明の傾斜床面部の排水構造では、前記段差壁部は、斜辺部を有する板部材を前記傾斜床面部の下流側縁部分に重ねて取り付けることにより、該板部材の斜辺部の端面を前記段差面として、前記傾斜床面部に設けられていることが好ましい。
【０００８】
また、本発明の傾斜床面部の排水構造では、前記段差面の高さが２〜１５ｍｍであり、前記段差壁部の、前記下流側縁部分に向かう前記排水勾配の傾斜方向と垂直な方向である前記横長矩形の平面形状の長辺方向に対する傾斜角度が１〜６°であり、前記下流側縁部分に向かう前記排水勾配が１〜３％であることが好ましい。
【０００９】
さらに、本発明の傾斜床面部の排水構造では、前記傾斜床面部を床下地面として、該床下地面との間に表面水を流下させるための間隔を保持した状態で、床仕上材が前記傾斜床面部を覆って取り付けられていることが好ましい。
【００１０】
さらにまた、本発明の傾斜床面部の排水構造では、前記傾斜床面部は、表面に傾斜勾配を有する複数の勾配付き床パネル部材を、縦横に敷き並べて形成することもできる。
【００１１】
また、本発明の傾斜床面部の排水構造では、前記傾斜床面部は、バルコニー又はベランダの床面部であることが好ましい。
【発明の効果】
【００１２】
本発明の傾斜床面部の排水構造によれば、傾斜床面部の下流側縁部分に側溝を設けることなく、傾斜床面部に沿って流下する表面水を、排水ドレンに向けてスムーズに案内して排出することができる。
【発明を実施するための最良の形態】
【００１３】
本発明の好ましい一実施形態に係る傾斜床面部の排水構造は、図１〜図３に示すように、例えば一戸建て住宅のバルコニー１０において、雨水等による表面水を、排水勾配を有する床下地面（傾斜床面部）１１に沿って、下流側縁部分１１ａに向けて流下させると共に、当該下流側縁部分１１ａに設けられた排水ドレン１２に向けて案内して、排水ドレン１２からスムーズに排水できるようにするために採用されたものである。
【００１４】
すなわち、本実施形態の傾斜床面部の排水構造は、排水勾配を有する横長矩形の平面形状を備える傾斜床面部である床下地面１１に設けられ、この床下地面１１の横長矩形の平面形状の短辺方向に傾斜する排水勾配の下流側縁部分１１ａに配設した、少なくとも一箇所の排水ドレン１２に向けて表面水を流下させるための排水構造であって、床下地面１１の下流側縁部分１１ａに沿って、この下流側縁部分１１ａに向かう排水勾配の傾斜方向Ｘと垂直な方向Ｙに対して斜め下流方向に延設して、傾斜方向Ｘと対向すると共に端部が排水ドレン１２に臨む段差面１３を形成する段差壁部１４が、床下地面１１から上方に突出して設けられている。
【００１５】
また、本実施形態では、傾斜床面部としての床下地面１１との間に表面水を流下させるための間隔ｓを保持した状態で、床仕上材１５が床下地面１１を覆って取り付けられている（図３参照）。
【００１６】
本実施形態では、バルコニー１０は、例えば住宅の２階部分において、居室部１７及び袖壁１８によって周囲を区画されることにより、例えば幅９００〜１８００ｍｍ、長さが１８００〜３６００ｍｍ程度の大きさの横長矩形の平面形状を備えるように形成されている。
【００１７】
バルコニー１０の排水勾配を有する床下地面１１は、例えばコンクリート製の床スラブの上面に、モルタル等を用いて左官仕上を施すことにより、居室部１７側から、これと対向する袖壁１８の長辺部分１８ａに向けて、例えば傾斜方向Ｘに１〜３％程度の緩い下り勾配で傾斜する傾斜面を形成している。本実施形態では、バルコニー１０の床下地面１１には側溝は設けられておらず、床下地面１１は、袖壁１８の長辺部分１８ａとの接合角部分まで、一定の緩い下り勾配で仕上げられている。また、袖壁１８の長辺部分１８ａに沿った床下地面１１の下流側縁部分１１ａの少なくとも一箇所（本実施形態では、袖壁１８の長辺部分１８ａと短辺部分１８ｂとの各角部分の二箇所）に、例えば１０〜３０ｍｍ程度の深さで床下地面１１を略正方形に切り欠くことにより、排水ドレン１２が設けられている。さらに、床下地面１１の表面には、例えばＦＲＰ樹脂による防水工が施されている。
【００１８】
また、本実施形態では、床下地面１１の下流側縁部分１１ａに沿って、排水勾配の傾斜方向Ｘと垂直な方向Ｙに対して例えば１〜６度の角度θで斜め下流方向に延設する、段差壁部１４が設けられている。本実施形態では、段差壁部１４は、斜辺部１９ａを有する板部材１９を床下地面１１の下流側縁部分１１ａに重ねて取り付けることにより、板部材１９の斜辺部１９ａの端面を傾斜方向Ｘと対向する段差面１３として、床下地面１１から上方に突出して設けられる。
【００１９】
ここで、板部材１９は、例えば５〜１０ｍｍ程度の厚さのポリスチレン発泡体からなるプレート部材であって、両端を僅かに切り欠いた扁平な略２等辺三角形の平面形状を備えている。また、板部材１９は、バルコニー１０の長さに対応する例えば１８００〜３６００ｍｍ程度の長さを有すると共に、略２等辺三角形の中央における底辺部１９ｂからの高さが例えば１００〜２５０ｍｍ程度、好ましくは１５０ｍｍ程度となっている。これによって、板部材１９は、中央を挟んだ両側の斜辺部１９ａが、底辺部１９ｂに対して例えば１〜６度の角度で傾斜することになる。ここで、板部材１９は、単一の部材として形成することもできるが、２以上の部材によって構成することが取り扱い上好ましい。
【００２０】
そして、本実施形態では、板部材１９を、その底辺部１９ｂを袖壁１８の長辺部分１８ａの内側面に密着させるようにして、例えば弾性系接着剤を介して床下地面１１の下流側縁部分１１ａに重ねて取り付けることにより、板部材１９の斜辺部１９ａの端面によって、排水勾配の傾斜方向Ｘと垂直な方向Ｙに対して例えば１〜６度の角度θで斜め下流方向に延設する、好ましくは高さが２〜１５ｍｍの段差壁部１４を形成する。また、板部材１９の両端の縁辺は、略正方形に切り欠かれた排水ドレン１２の一辺の長さよりも短い長さを備えるように切り欠かれており、且つ略正方形の排水ドレン１２の内側一辺部に沿って配置されることにより、段差壁部１４による段差面１３の端部は、排水ドレン１２に臨んで設けられることになる。
【００２１】
ここで、段差壁部１４による段差面１３の高さは、２〜１５ｍｍであることが好ましく、５〜１０ｍｍであることがさらに好ましい。段差面１３の高さが２ｍｍ未満だと、破損しやすくなると共に、取り扱いにくくなる。段差面１３の高さが１５ｍｍを超えると、コストアップにつながると共に、歩行しづらくなる。
【００２２】
床下地面１１との間に間隔ｓを保持した状態で、床下地面１１を覆って取り付けられる床仕上材１５は、本実施形態では、例えばタイルやセメント成型板等の被覆仕上材として知られる公知の各種の床仕上材を使用することができる。好ましくは、プラスチック製のタイルタイプの床仕上材１５である商品名「クレガーレ」（登録商標、積水化学工業株式会社製）等を使用することができる。床仕上材１５は、図４に示すように、板部材１９の厚さと同等の高さを有する脚部１６を備えていたり、例えば排水ネットを介在させることにより、床下地面１１との間に間隔ｓを保持した状態で縦横に多数並べて容易に配置され、床下地面１１の全体を覆うようにして取り付けられる。また床仕上材１５は、隣接する床仕上材１５の間に雨水等の水を通過させる隙間２０を保持した状態で、縦横に並べて敷設される。
【００２３】
なお、床仕上材１５は、排水ドレン１２の部分も含めてバルコニー１０の全体に亘って取り付けることも可能であるが、排水ドレン１２の部分には、別途に成型した専用の排水ドレンパッキン材（図示せず。）を取り付けることもできる。また、床仕上材１５に脚部１６が設けられている場合に、板部材１９に重ねて配置される部分の床仕上材１５については、例えば脚部１６を予め切断しておくことにより、下流側縁部分１１ａに段差を生じることなく、床下地面１１の全体を覆って床仕上材１５を平坦に取り付けることが可能になる。
【００２４】
そして、上述の構成を備える本実施形態の傾斜床面部の排水構造では、例えばバルコニー１０に降り注いだ雨水は、床仕上材１５の上面から、隣接する床仕上材１５の間の隙間２０を介して傾斜床面部である床下地面１１の表面に至り、排水勾配によって下流側縁部分１１ａに向けて流下すると共に、排水ドレン１２から排水されることになるが、本実施形態によれば、床下地面１１の下流側縁部分１１ａに側溝を設けることなく、床下地面１１に沿って流下する雨水等の表面水を、排水ドレン１２に向けてスムーズに案内して排出することが可能になる。
【００２５】
すなわち、本実施形態によれば、床下地面１１の下流側縁部分１１ａに沿って、この下流側縁部分１１ａに向かう排水勾配の傾斜方向Ｘと垂直な方向Ｙに対して角度θで斜め下流方向に延設して、傾斜方向Ｘと対向すると共に端部が排水ドレン１２に臨む段差面１３を形成する段差壁部１４が設けられているので、床下地面１１の排水勾配によって下流側縁部分１１ａに流下した表面水は、傾斜方向Ｘの排水勾配とこれと垂直な方向Ｙに対して斜めに延設する段差面１３との相乗効果によって、段差壁部１４に沿って排水ドレン１２に向けてスムーズに案内されると共に、段差壁部１４の端部から排水ドレン１２にスムーズに流入するので、側溝を要することなく表面水を排水ドレン１２から容易に排出することが可能になる。これによって、バルコニー１０の美観を向上させることが可能になると共に、バルコニー１０の全体を有効に活用することが可能になる。
【００２６】
また、本実施形態では、床下地面１１との間に表面水を流下させるための間隔ｓを保持した状態で、床仕上材１６が床下地面１１を覆って取り付けられているので、バルコニー１０の美観をさらに向上させることが可能になると共に、バルコニー１０の全体をさらに有効に活用することが可能になる。
【００２７】
なお、本発明は上記実施形態に限定されることなく種々の変更が可能である。例えば、段差壁部は、斜辺部を有する板部材を床下地面に重ねて取り付けることによって形成する必要は必ずしもなく、例えば凸条のリブを斜めに延設して形成することもできる。また、板部材を重ねて取り付けて段差壁部を形成する場合、板部材として、上面が傾斜床面部の傾斜方向と反対方向の傾斜で傾斜床面部の勾配を受けるように傾斜する勾配付き板部材を用いることもできる。さらに、傾斜床面部である床下地面を覆って床仕上材を取り付ける必要は必ずしもなく、必要に応じて床下地面に床仕上げを直接施して、床仕上面とすることもできる。
【００２８】
さらにまた、排水勾配を有する床下地面（傾斜床面部）は、モルタル等を用いて左官仕上を施すことにより形成されたものである必要は必ずしもなく、例えば上述の特開平１１−１７２８６４号公報や特開２００６−１４４５０７号公報に記載される、表面に傾斜勾配が設けられた発泡樹脂材等からなる複数の勾配付き床パネル部材を縦横に敷き並べて、排水勾配を有する傾斜床面部を形成することもできる。また、本発明の傾斜床面部の排水構造は、バルコニーに限定されることなく、ベランダや建物の屋上等の、表面水を排出する必要のある横長矩形の平面形状を有するその他の種々の傾斜床面部に適用することができる。
【図面の簡単な説明】
【００２９】
【図１】本実施形態の好ましい一実施形態に係る傾斜床面部の排水構造の構成を説明する、一部を切り欠いて示すバルコニーの上面図である。
【図２】床仕上材を敷設する前の状態を一部を切り欠いて示すバルコニーの斜視図である。
【図３】床仕上材を敷設した後の状態を一部を切り欠いて示すバルコニーの斜視図である。
【図４】図３のＡ部拡大図である。
【符号の説明】
【００３０】
１０  バルコニー
１１  床下地面（傾斜床面部）
１１ａ  床下地面の下流側縁部分
１２  排水ドレン
１３  段差面
１４  段差壁部
１５  床仕上材
１６  床仕上材の脚部
１７  居室部
１８  袖壁
１８ａ  袖壁の長辺部分
１８ｂ  袖壁の短辺部分
１９  板部材
１９ａ  板部材の斜辺部
１９ｂ  板部材の底辺部
２０  隣接する床仕上材の間の隙間
Ｘ    排水勾配の傾斜方向
Ｙ    排水勾配の傾斜方向と垂直な方向
ｓ    傾斜床面部と床仕上材との間の間隔
【図１】
0005165970.tif 000002
【図２】
0005165970.tif 000003
【図３】
0005165970.tif 000004
【図４】
0005165970.tif 000005